(57)【要約】【課題】収納状態での厚みを厚くすることなく、全長を長くするレンズ鏡筒を提供することを目的とする。【解決手段】このレンズ鏡筒は、内周部に溝部を有するレンズ鏡筒１９であって、レンズ２を保持するレンズ保持部４と、内周部にレンズ保持部４と係合するカム溝５２ａ〜ｃが設けられ、回転しながら、光軸方向に移動することにより、レンズ保持部４を光軸方向に移動させるカム筒５と、カム筒５の内周側に配置され、カム筒５と係合して光軸方向に移動するとともに、レンズ保持部４の回転方向の移動を規制する直進筒６と、を備え、カム筒５の撮像素子側の後端部に突出部５１ａ〜ｃが設けられ、突出部５１ａの外周面にカム筒５を回転させるための動力を伝達する突出ギア５ｊが設けられており、突出部５１ａ〜ｃの内周面にカム溝５２ａ〜ｃが設けられている。【選択図】図１５
2015034857.tif 000002
【特許請求の範囲】
【請求項１】
内周部に溝部を有するレンズ鏡筒であって、
レンズを保持するレンズ保持部と、
内周部に前記レンズ保持部と係合するカム溝が設けられ、回転しながら、光軸方向に移動することにより、前記レンズ保持部を光軸方向に移動させるカム筒と、
前記カム筒の内周側に配置され、前記カム筒と係合して前記光軸方向に移動するとともに、前記レンズ保持部の回転方向の移動を規制する直進筒と、
を備え、
前記カム筒の撮像素子側の後端部に突出部が設けられ、前記突出部の外周面に前記カム筒を回転させるための動力を伝達する突出ギアが設けられており、
前記突出部の内周面に前記カム溝が設けられている
ことを特徴とするレンズ鏡筒。
【請求項２】
前記直進筒は、前記回転方向の移動を規制するためのリブが設けられ、
収納状態で、前記リブは、前記突出部と周方向に重ならない位置に設けられる
ことを特徴とする請求項１に記載のレンズ鏡筒。
【請求項３】
前記レンズ保持部には、ピンが設けられ、
前記ピンは、前記カム溝と係合し、追従する
ことを特徴とする請求項１に記載のレンズ鏡筒。
【請求項４】
前記突出ギアは、撮影位置において、前記カム筒に隣接し、前記カム筒を回転させるための動力源となる駆動部に接続された、接続ギアと嵌合する
ことを特徴とする請求項１に記載のレンズ鏡筒。
【請求項５】
前記カム筒は、前記溝部に追従するフォロア部を備え、
前記突出ギアは、前記フォロア部よりも撮像素子側に配置される
ことを特徴とする請求項１に記載のレンズ鏡筒。
【請求項６】
前記突出ギアが設けられている前記突出部の前記カム溝の深さは、前記突出ギアが設けられていないカム溝よりも浅くなっている
ことを特徴とする請求項１に記載のレンズ鏡筒。
【請求項７】
前記ピンは、伸縮可能に形成されている
ことを特徴とする請求項３に記載のレンズ鏡筒。
【請求項８】
請求項１〜７のいずれか１項に記載のレンズ鏡筒を備える、撮像装置。
【発明の詳細な説明】
【技術分野】
【０００１】
本発明は、レンズ鏡筒および撮像装置に関する。
【背景技術】
【０００２】
複数のレンズをそれぞれ保持する複数のレンズ保持枠をカム筒の回転により光軸方向に移動させつつ、直進筒によりレンズ保持枠の回転方向の移動を規制してレンズを所定の位置に移動させるズーム機構を備えるレンズ鏡筒が提案されている。
【０００３】
近年の撮影倍率の高倍率化の要請に伴って、レンズの数が増加したり、繰出し全長が長くなったりするので、レンズ鏡筒が大型化する傾向にある。一方、カメラの薄型化の要求もあり、レンズ鏡筒の収納時のカメラの厚さを極力薄くすることが求められている。
【０００４】
カメラの薄型化のためには、光軸方向の寸法を短くした鏡筒を多段構成でつなげることが考えられるが、鏡筒に複数のカム溝を交差することなく配置するにはスペース的に多くの制約がある。
【０００５】
そこで特許文献１は、カム筒の外周面に配置されたギア部を階段状にすることにより、繰り出し全長を長くすることができるレンズ鏡筒を開示している。
【先行技術文献】
【特許文献】
【０００６】
【特許文献１】特開２００６−６５１３８号公報
【発明の概要】
【発明が解決しようとする課題】
【０００７】
しかしながら、特許文献１では、階段状に移動したギア部の移動量だけしか繰り出し全長を長くすることができない。また、直進筒のフランジ部の外周側にギアを配置する必要があり、かつギア部の移動量だけカム筒も長くなってしまい鏡筒の小径化、薄型化が困難である。
【０００８】
本発明は、上記課題を鑑みてなされたものであり、収納状態での厚みを厚くすることなく、全長を長くするレンズ鏡筒を提供することを目的とする。
【課題を解決するための手段】
【０００９】
上記課題を解決するために、本発明は、内周部に溝部を有するレンズ鏡筒であって、レンズを保持するレンズ保持部と、内周部にレンズ保持部と係合するカム溝が設けられ、回転しながら、光軸方向に移動することにより、レンズ保持部を光軸方向に移動させるカム筒と、カム筒の内周側に配置され、カム筒と係合して光軸方向に移動するとともに、レンズ保持部の回転方向の移動を規制する直進筒と、を備え、カム筒の撮像素子側の後端部に突出部が設けられ、突出部の外周面にカム筒を回転させるための動力を伝達する突出ギアが設けられており、突出部の内周面にカム溝が設けられていることを特徴とする。
【発明の効果】
【００１０】
本発明によれば、本発明によれば、収納状態での厚みを厚くすることなく、全長を長くするレンズ鏡筒を提供することができる。
【図面の簡単な説明】
【００１１】
【図１】撮像装置を正面側から見た外観斜視図の一例である。
【図２】電源をＯＮした状態でのデジタルカメラの外観斜視図の一例である。
【図３】デジタルカメラの背面図の一例である。
【図４】デジタルカメラの底面図の一例である。
【図５】デジタルカメラの機能ブロック図の一例である。
【図６】レンズ鏡筒の収納位置での状態を示す断面図である。
【図７】レンズ鏡筒のＷＩＤＥ撮影位置での状態を示す断面図である。
【図８】レンズ鏡筒のＴＥＬＥ撮影位置での状態を示す断面図である。
【図９】カム筒と直進筒の分解斜視図である。
【図１０】ＴＥＬＥ撮影位置でのカム筒と接続ギアの斜視図である。
【図１１】第２レンズ保持枠の斜視図である。
【図１２】レンズ鏡筒の収納位置でのカム筒と直進筒との位置関係を示す図である。
【図１３】レンズ鏡筒の撮影位置でのカム筒と直進筒との位置関係を示す図である。
【図１４】収納位置でのカム筒の内周側の展開図である。
【図１５】収納位置でのカム筒の外周側の展開図である。
【図１６】収納位置と撮影位置の中間位置でのカム筒の内周側の展開図である。
【図１７】ＷＩＤＥ撮影位置でのカム筒の内周側の展開図である。
【図１８】ＷＩＤＥ撮影位置でのカム筒の外周側の展開図である。
【図１９】ＷＩＤＥ撮影位置とＴＥＬＥ撮影位置の中間位置でのカム筒の内周側の展開図である。
【図２０】ＴＥＬＥ撮影位置でのカム筒の内周側の展開図である。
【図２１】ＴＥＬＥ撮影位置でのカム筒の外周側の展開図である。
【図２２】バヨネット凸部と周溝の収納位置（Ａ）と、第２の撮影位置（Ｂ）と、第１および第３の撮影位置（Ｃ）を示す図である。
【図２３】カム筒と直進筒の関係の従来例（Ａ）と、本発明の一実施形態における収納位置（Ｂ）と、その撮影位置（Ｃ）を示す図である。
【発明を実施するための形態】
【００１２】
以下、本発明を実施するための形態について図面などを参照して説明する。
【００１３】
図１は、本実施形態のレンズ鏡筒を備える撮像装置を正面側から見た外観斜視図の一例である。図２は、図１に示すデジタルカメラの電源をＯＮした状態での外観斜視図の一例である。図３は、図１に示すデジタルカメラの背面図の一例である。また、図４は、図１に示すデジタルカメラの底面図の一例である。
【００１４】
本実施形態に係るデジタルカメラ１８は、撮影位置と収納位置との間を光軸方向に移動して撮影倍率を変更するズーム機構を備える。図１に示すように、デジタルカメラ１８の正面には、被写体の構図を決めるファインダ１６、測光測距を行う場合の補助光源１５、ストロボ１７、及びレンズ鏡筒１９が配置されている。また、デジタルカメラ１８の上面には、レリーズボタン１２、電源切換えボタン１４、及びズーム切換えスイッチ１３が配置されている。
【００１５】
また、デジタルカメラ１８の背面には、図３に示すように、操作ボタン２２〜２７、ＬＣＤ（Ｌｉｑｕｉｄ  Ｃｒｙｓｔａｌ  Ｄｉｓｐｌａｙ）等のディスプレイ２１と、ファインダ接眼部２０が配置されている。
【００１６】
更に、図４に示すように、デジタルカメラ１８の底面には、三脚取付部２８、カバー２９が配置されている。カバー２９は、メモリカードドライブ４２（図５参照）及びバッテリー挿入部（不図示）を覆う。
【００１７】
図５は、図１に示すデジタルカメラ１８の機能ブロック図の一例である。バス４４には、ＣＰＵ４６、ＲＯＭ４５、ＲＡＭ４７、レリーズボタン１２、操作ボタン２２〜２７、ディスプレイ２１、電源切換えボタン１４、ズームスイッチ１３、メモリ４０、圧縮伸長部４１、メモリカードドライブ４２及び駆動回路４３が接続される。ＣＰＵは、Ｃｅｎｔｒａｌ  Ｐｒｏｃｅｓｓｉｎｇ  Ｕｎｉｔの略称である。ＲＯＭは、Ｒｅａｄ  Ｏｎｌｙ  Ｍｅｍｏｒｙの略称である。ＲＡＭは、Ｒａｎｄｏｍ  Ａｃｃｅｓｓ  Ｍｅｍｏｒｙの略称である。
【００１８】
駆動回路４３には、レンズ鏡筒１９をズーム駆動する動力源となるズーム機構（駆動部）３０、フォーカスレンズ７を駆動するフォーカス駆動機構３１、シャッタ３５を駆動するシャッタ駆動機構３２、絞り３６を駆動する絞り駆動機構３４が接続される。また、駆動回路４３には、ＣＣＤセンサやＣＭＯＳセンサ等の撮像素子８及びストロボ１７が接続される。ＣＣＤは、Ｃｈａｒｇｅ  Ｃｏｕｐｌｅｄ  Ｄｅｖｉｃｅの略称である。ＣＭＯＳは、Ｃｏｍｐｌｅｍｅｎｔａｒｙ  Ｍｅｔａｌ−Ｏｘｉｄｅ  Ｓｅｍｉｃｏｎｄｕｃｔｏｒの略称である。駆動回路４３に接続された各ユニットは、ＣＰＵ４６からの信号に基づいて駆動回路４３を介して駆動が制御される。
【００１９】
ＲＯＭ４５には、各種制御プログラム等が記憶され、ＲＡＭ４７には、各種制御プログラムに必要なデータが記憶されている。アナログ信号処理部３７は、撮像素子８から出力された画像データにアナログ処理を施し、Ａ／Ｄ変換部３８に出力する。
【００２０】
Ａ／Ｄ変換部３８は、撮像素子８から取り込んだアナログデータをデジタルデータに変換して、デジタル信号処理部３９に出力する。デジタル信号処理部３９は、Ａ／Ｄ変換部３８で変換されたデジタルデータに対して所定の処理を行い、画像データとしてメモリ４０に出力する。
【００２１】
メモリ４０に記憶された画像データは、操作ボタン２３の操作によって圧縮伸長部４１によりＪＰＥＧやＴＩＦＦ等の圧縮処理等が施された後、メモリカードドライブ４２に装着されたメモリカードに出力されて記憶される。
【００２２】
また、メモリ４０に記憶された画像データやメモリカードに記憶された画像データを圧縮伸長部４１によって伸張処理を行い、その後、バス４４を介してディスプレイ２１に表示させることができる。例えば、ディスプレイ２１に表示された画像をユーザが見て不要と判断した場合は、操作ボタン２４の操作によって消去することができる。
【００２３】
次に、図６乃至図１２を参照して、レンズ鏡筒１９について説明する。図６は、レンズ鏡筒１９の収納位置での状態を示す断面図である。図7は、ＷＩＤＥ撮影位置での状態を示す断面図である。図８は、ＴＥＬＥ撮影位置での状態を示す断面図である。
【００２４】
図６、図７、及び図８に示すように、レンズ鏡筒１９は、第一レンズ１が第一レンズ保持枠３に保持され、第一レンズ１の像面側（撮像素子８側）に配置される第二レンズ２が第二レンズ保持枠４に保持されている。
【００２５】
第一レンズ保持枠３及び第二レンズ保持枠４は、カム筒５の内周部に設けられたカム部であるカム溝５ｃ（図１４参照）に係合して追従するフォロアピン４ａ、４ｂ、４ｃを有する(図１１参照)。フォロワピン４ａは、光軸に対して垂直方向に伸縮可能に形成されている。
【００２６】
また、第一レンズ保持枠３及び第二レンズ保持枠４は、カム筒５の内周側に配置された直進筒６により回転方向の移動が規制された状態で光軸方向に直進移動可能に保持される。すなわち、直進筒６は、カム筒５と係合して光軸方向に移動するとともに、第一レンズ保持枠３及び第二レンズ保持枠４の回転方向の移動を規制する直進規制部材である。また、第一レンズ保持枠３及び第二レンズ保持枠４は、レンズ保持部の一例である。
【００２７】
カム筒５は、固定筒９の内周部に設けられたカム溝（不図示）に追従するフォロアピン（フォロア部）５ｄ（図１２参照）を有する。カム筒５は、ズーム機構３０から接続ギア３００に動力が伝達されることで、回転しながら光軸方向に移動する。
【００２８】
また、カム筒５は、撮像素子側後端部に略１２０度等分の３か所に突出部５１ａ、５１ｂ、５１ｃを備える。突出部５１ａ、５１ｂ、５１ｃの内周面側にはカム溝５２ａ、５２ｂ、５２ｃが備えられている。突出部５１ａの外周側（外周面）には突出ギア部５ｊが配置されており、カム溝５２ａ、５２ｂ、５２ｃには第２レンズ保持枠４のフォロワピン４ａ、４ｂ、４ｃがＷＩＤＥ撮影状態時（図７）に係合する。これにより、第２レンズ保持枠４の移動量を突出部５１ａ、５１ｂ、５１ｃの厚みＸだけ増やすことができる。
【００２９】
突出部５１ａの内周側に配置されたカム溝５２ａは、他のカム５２ｂ、５２ｃと比べ突出ギア部５ｊの強度を保つためにカム溝深さが浅くなっている。しかしながら、フォロワピン４ａは、伸縮自在に形成されているので、カム溝の深さが浅くなっていても、スムーズに動作することができる。直進筒６は、固定筒９の内周部に設けられた不図示の直進溝に係合する直進キー６ｃを有し、直進キー６ｃが直進溝に案内されることで、回転が規制された状態に光軸方向に直進移動する。
【００３０】
第二レンズ保持枠４と撮像素子８との間には、第三レンズ７を保持する第三レンズ保持枠１０が配置されており、撮像素子８は、固定筒９に固定された撮像素子保持枠１１に保持されている。なお、第三レンズ７は、本実施形態では、フォーカスレンズである。
【００３１】
カム筒５がズーム機構３０によって回転させられることにより、カム筒５が光軸方向に繰出すとともに、第一レンズ保持枠３及び第二レンズ保持枠４も光軸方向に繰出す。このとき、直進筒６は、カム筒５とバヨネット結合されて、カム筒５と略一体となって光軸方向に直進移動する。
【００３２】
本実施形態では、後述するカム筒５と直進筒６とのバヨネット結合構造により、カム筒５が直進筒６に対して光軸方向に相対的に接近離間移動する。
【００３３】
また、レンズ鏡筒１９の収納位置（図６）では、カム筒５と直進筒６とは互いに接近配置され、レンズ鏡筒１９の撮影位置（図７、図８）では、カム筒５と直進筒６とは互いに離間配置される。
【００３４】
図９は、カム筒５と直進筒６の斜視図である。突出ギア部５ｊは、フォロワピン５ｄに対して光軸方向において撮像素子側に配置されている。これにより、直進筒６に対してのカム筒５の回転角を増やすことができる。これにより、レンズ群の移動量が増えた場合であっても、レンズ鏡筒１９の駆動負荷が増えることがないので、レンズ鏡筒１９を大きくする必要がない。
【００３５】
図１０は、レンズ鏡筒１９のＴＥＬＥ撮影状態におけるカム筒５と接続ギア３００との関係を示した図である。ＴＥＬＥ撮影状態では、接続ギア３００が隣接する突出ギア部５ｊにのみ噛合しているので、突出部５１ａの厚みＸだけレンズ鏡筒１９の全長を伸ばすことができる。
【００３６】
図１２はレンズ鏡筒１９の収納位置でのカム筒５と直進筒６との位置関係を示す図である。図１２（Ａ）は、カム筒と直進筒とを光軸方向から見た図を示す。図１２（Ｂ）は、図１２（Ａ）に示すカム筒と直進筒の側面図である。
【００３７】
図１２に示すように、レンズ鏡筒１９の収納位置では、カム筒５と直進筒６とが光軸方向に互いに接近して配置され、カム筒５の突出部５ａと直進筒６の直進リブ６ａとは周方向に対向して配置される。また、カム筒５の突出部５ａは、収納状態である時、撮像素子８と光軸方向に重なった状態で配置される（図６参照）。これにより、収納位置でのレンズ鏡筒１９の光軸方向の長さを短くしてカメラの薄型化を図ることができる。
【００３８】
図１３は、レンズ鏡筒１９の撮影位置でのカム筒５と直進筒６との位置関係を示す図である。図１３（Ａ）は、カム筒と直進筒とを光軸方向から見た図を示す。図１３（Ｂ）は、図１３（Ａ）に示すカム筒と直進筒の側面図である。
【００３９】
図１３に示すように、レンズ鏡筒１９の撮影位置では、カム筒５の突出部５ａの撮像素子側に直進筒６の直進リブ６ａが移動する。これにより、直進筒６がカム筒５に対して像面側に相対的に移動し、カム筒５と直進筒６とが光軸方向に互いに離間配置される。
【００４０】
図８に戻って、直進筒６には、第１のバヨネット凸部６ｂが周方向に略等間隔で複数箇所（本実施形態では３箇所）設けられており、第１のバヨネット凸部６ｂの周方向の両側には、それぞれヘリコイド部６Ａが配置されている。また、直進筒６には第１のバヨネット凸部６ｂとは撮影光軸方向に異なる位置に、第２のバヨネット凸部６ｅが周方向に略等間隔で複数箇所（本実施形態では３箇所）設けられている。
【００４１】
図１４乃至図２１は、カム筒５の内周側の展開図と外周側の展開図の一例である。図１４乃至図２１に示すように、カム筒５の像面側の端部内周部には、カム筒５の回転時に第１のバヨネット凸部６ｂが追従する周溝５ｂと撮影光軸方向に異なる位置に５ｅが周方向に延びて形成されている。また、周溝５ｂ、５ｅと撮影光軸方向に異なる位置に配置され、撮像素子側に側壁面の無い周溝５ｆがある。
【００４２】
周溝５ｂと５ｅの接続部には、カム筒５の回転時にバヨネット凸部６ｂが追従するヘリコイド溝５Ａが形成されている。ヘリコイド溝５Ａは、第１のバヨネット凸部６ｂのヘリコイド部６Ａに対応する形状を有して、周溝５ｂから被写体側に離れる方向に斜めに延設されている。周溝５ｅと５ｆの接続部には、第１のバヨネット凸部６ｂを周溝５ｅに挿入する為の導入口５Ｂが形成されている。
【００４３】
さらに、本実施形態では、周溝５ｂ、５ｅ、５ｆ及びヘリコイド溝５Ａ、導入口５Ｂはカム筒５の内周部の周方向に略等間隔で３組配置されている。そして、レンズ鏡筒１９の収納位置では、第１のバヨネット凸部６ｂが周溝５ｂに配置され、第２のバヨネット凸部６ｅが周溝５ｅに配置されてカム筒５と直進筒６とがバヨネット結合される（図１４参照）。このとき、カム筒５と直進筒６とは、図１２で説明したように、光軸方向に互いに接近して配置され、カム筒５の突出部５１ａ、５１ｂ、５１ｃと直進筒６の直進リブ６ａとは周方向に対向して配置される。すなわち、図１５に示すようにカム筒５の突出部５１ａ、５１ｂ、５１ｃと直進筒６の直進リブ６ａとは光軸方向に重なって配置される。
【００４４】
次に、カム筒５が直進筒６に対して相対的に回転するに従って、第１のバヨネット凸部６ｂがヘリコイド溝５Ａに沿って追従し、周溝５ｅに達する（図１６参照）。また、第２のバヨネット凸部６ｅは、周溝５ｅから導入溝５Ｂを通って５ｆに達する（図１６参照）。このとき、レンズ鏡筒１９は、撮影位置に配置され、図１３で説明したように、直進筒６がカム筒５に対して像面側に移動し、カム筒５と直進筒６とが光軸方向に互いに離間配置される。これにより、図１８に示すように、カム筒５と直進筒６は相対的に回転しても突出部５１ａ、５１ｂ、５１ｃと直進リブ６ａは干渉しないようになっている。
【００４５】
ここで、図２３を参照して、特許文献１に記載のレンズ鏡筒（Ａ）と本実施形態に係るレンズ鏡筒（Ｂ）、（Ｃ）との違いを説明する。図２３（Ａ）に示すレンズ鏡筒では、直進リブ部６ａに当たるガイド筒３５のフランジ部がカム筒３０に備えられたラック部３２ｂの内周側に配置され、干渉を回避するめにＳだけ大きくなる。しかしながら、本実施形態では、その必要がないため、小径化が可能になる（図２３（Ｂ）（Ｃ）参照）。
【００４６】
また、本実施形態では、レンズ鏡筒１９の撮影位置で第二レンズ保持枠４のフォロアピン４ａ、４ｂ、４ｃが追従するカム筒５のカム溝５２ａ、５２ｂ、５２ｃが突出部５１ａ、５１ｂ、５１ｃの内周部（裏面側）に延長して設けられている。これにより、第二レンズ２は、突出部５１ａ、５１ｂ、５１ｃの厚み分Ｘだけ移動量を伸ばすことができ、結果として、カメラの撮影倍率の高倍率化を実現することができる。なお、レンズ鏡筒１９の撮影位置から収納位置までの動作は、上記と逆の動作となる。
【００４７】
ここで、レンズ鏡筒１９の収納位置では、直進筒６のバヨネット凸部６ｂは、カム筒５の周溝５ｂに嵌合されている。すなわち、図１４に示す幅αの周溝５ｂに幅Ａのバヨネット凸部６ｂが嵌合されて、バヨネット凸部６ｂが周溝５ｂの幅方向（光軸方向）の両側壁面に当接することで、カム筒５と直進筒６との光軸方向の相対的な位置規制がなされる。
【００４８】
また、図２２（Ａ）を参照して、直進筒６のバヨネット凸部６ｅは、カム筒５の周溝５ｅに嵌合されているが周溝５ｅの幅方向（光軸方向）の両側壁面には当接していない。そして、カム筒５と直進筒６が離間配置された後の最初の撮影位置であるＷＩＤＥ撮影位置では、直進筒６の第１のバヨネット凸部６ｂは、カム筒５の周溝５ｅに嵌合される。直進筒６の第１のバヨネット凸部６ｂと第２のバヨネット凸部６ｅに挟まれた領域で形成されるバヨネット溝部６ｇは、カム筒５の周溝５ｅと５ｆによって形成される周リブ部５ｇと嵌合される。これにより、ＷＩＤＥ撮影位置ではカム筒５と直進筒６との光軸方向の相対的な位置規制がなされる（図１７、図２２（Ｃ）参照）。
【００４９】
レンズ鏡筒１９の中間撮影位置では、カム筒５の周溝５ｅの被写体側壁面５ｈが無くなる。そのため、直進筒６の第１のバヨネット凸部６ｂと第２のバヨネット凸部６ｅに挟まれた領域で形成されるバヨネット溝部６ｇは、カム筒５の周溝５ｅと５ｆによって形成される周リブ部５ｇに嵌合される（図１９、図２２（Ｂ）参照）。これにより、中間撮影位置では、カム筒５と直進筒６との光軸方向の相対的な位置規制がなされる。レンズ鏡筒１９のＴＥＬＥ撮影位置では、カム筒５と直進筒６は、ＷＩＤＥ撮影状態と同じ嵌合状態となる（図２０、図２２（Ｃ）参照）。このように、ＷＩＤＥ撮影位置の嵌合状態と中間撮影位置の嵌合状態が繰り返し配置される。
【００５０】
以上説明したように、本実施形態では、少なくともレンズ鏡筒１９の撮影位置での周溝５ｆについては、被写体側の側壁面を開放することができ図１６（Ｂ）のＺにカム溝などを配置することが可能となる。また、図２１に示すように接続ギア３００が突出ギア部５ｊにのみ噛合しており、突出部５１ａの厚みＸだけレンズ鏡筒１９の全長を伸ばすことができる。この結果、レンズ鏡筒１９の外径を大きくすることなく、撮影状態での全長を長くすることと収納状態での薄型化を両立することが可能である。
【００５１】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００５２】
２          レンズ
４          第２レンズ保持枠
５          カム筒
５ｊ        突出ギア部
５１ａ〜ｃ  突出部
５２ａ〜ｃ  カム溝
６          直進筒
１９        レンズ鏡筒
【図１】
2015034857.tif 000003
【図２】
2015034857.tif 000004
【図３】
2015034857.tif 000005
【図４】
2015034857.tif 000006
【図５】
2015034857.tif 000007
【図６】
2015034857.tif 000008
【図７】
2015034857.tif 000009
【図８】
2015034857.tif 000010
【図９】
2015034857.tif 000011
【図１０】
2015034857.tif 000012
【図１１】
2015034857.tif 000013
【図１２】
2015034857.tif 000014
【図１３】
2015034857.tif 000015
【図１４】
2015034857.tif 000016
【図１５】
2015034857.tif 000017
【図１６】
2015034857.tif 000018
【図１７】
2015034857.tif 000019
【図１８】
2015034857.tif 000020
【図１９】
2015034857.tif 000021
【図２０】
2015034857.tif 000022
【図２１】
2015034857.tif 000023
【図２２】
2015034857.tif 000024
【図２３】
2015034857.tif 000025